(57)【要約】【課題】色分離部をオフアクシス方式で配置した場合でも画質低下が少ない液晶プロジェクタを低コストで提供する。【解決手段】液晶プロジェクタの投影ユニットの色分解光学系３１は、色分離プリズム４１と光線角度補正プリズム４２とから構成される。色分離プリズム４１は、２つのダイクロイック面をクロス配置したクロスダイクロイックプリズムである。色分離プリズム４２は、照明光学系２４の光軸２４ａとダイクロイック面に対して垂直な面Ｖとが平行ではないオフアクシス方式で配置されている。色分離プリズム４２の入射面には、入射角補正プリズム４２ａが配置されている。入射角補正プリズム４２ａは、前記光軸２４ａを屈曲させることで、照明光の色分離プリズム４２への入射角を、入射光線の光軸が前記垂直な面Ｖとが平行に近づくように補正する。【選択図】        図２
2005017370.tif 000002
【特許請求の範囲】
【請求項１】
照明光を照射する照明光学系と、異なる波長選択性を持つ２つのダイクロイック面が互いに交叉するように配置され前記照明光をＢ，Ｇ，Ｒの３色の色光に分離してそれぞれの色光を異なる３方向に射出する色分離部と、分離された各色の色光をそれぞれ変調して各色の画像光を生成するＢ用，Ｇ用，Ｒ用の各液晶素子とを有し、前記色分離部と前記照明光学系とが、前記２つのダイクロイック面に対して垂直な面と照明光学系の光軸とが平行ではないオフアクシス方式で配置された液晶プロジェクタにおいて、
前記照明光学系と前記色分離部との間に配置され、照明光を前記各ダイクロイック面に入射させる前に照明光の光軸を屈曲させて、前記色分離部への入射角を、その入射光線の光軸と前記垂直な面とが平行に近づくように補正する入射角補正部を設けたことを特徴とする液晶プロジェクタ。
【請求項２】
前記入射角補正部は、前記入射光線の光軸と前記垂直な面とが平行になるように前記色分離部への入射角を補正することを特徴とする請求項１記載の液晶プロジェクタ。
【請求項３】
前記色分離部から射出して前記各液晶素子へ向かう射出光線の角度を補正する射出角補正部が設けられていることを特徴とする請求項１又は２記載の液晶プロジェクタ。
【請求項４】
前記入射角補正部及び射出角補正部の少なくとも一方は、前記色分離部と間隔を空けて配置されていることを特徴とする請求項１〜３いずれか記載の液晶プロジェクタ。
【請求項５】
照明光を照射する照明光学系と、異なる波長選択性を持つ２つのダイクロイック面が互いに交叉するように配置され前記照明光をＢ，Ｇ，Ｒの３色の色光に分離してそれぞれの色光を異なる３方向に射出する色分離部と、分離された各色の色光をそれぞれ変調して各色の画像光を生成するＢ用，Ｇ用，Ｒ用の各液晶素子とを有する液晶プロジェクタにおいて、
前記色分離部から射出して前記各液晶素子へ向かう射出光線の角度を補正する射出角補正部を設けたことを特徴とする液晶プロジェクタ。
【発明の詳細な説明】
【０００１】
【発明の属する技術分野】
本発明は、Ｒ，Ｇ，Ｂの各色に対応する液晶素子を備えた三板式の液晶プロジェクタに関し、さらに詳しくは、２つのダイクロイック面を有する色分離部を使用した液晶プロジェクタに関するものである。
【０００２】
【従来の技術】
Ｒ，Ｇ，Ｂの各色毎の液晶素子を備え、各液晶素子によって光変調された画像光を合成してスクリーンに投影する三板式の液晶プロジェクタが知られている（例えば、特許文献１及び特許文献２参照）。このような液晶プロジェクタは、光源が発する照明光を、Ｒ，Ｇ，Ｂの各色光に分離した後、分離された各色光をＲ，Ｇ，Ｂの各液晶素子にそれぞれ照射し、各液晶素子から出射する画像光を合成している。前記各特許文献１，２の色分離部は、ダイクロイックフイルタと偏光ビームスプリッタとを組み合わせて構成している。この色分離部では、最初に波長選択性を備えたダイクロイックフイルタで、例えば、Ｂ光を他の２色から分離し、その後、残りの２色を偏光ビームスプリッタで分離する。
【０００３】
この方法で色分離をする場合には、最初に分離した色光と他の２色の色光の経路が異なるので、そのままでは３色の光路長が等しくならない。そのため、リレーレンズなどの部品を設けることにより３色の光路長を等しくしている。しかし、部品点数が多くなると、製造コストの増加や機器の大型化を招く。そこで、少ない部品点数で３色の色光の光路長を等しくするために色分離部として、クロスダイクロイックプリズムを使用したものがある。
【０００４】
クロスダイクロイックプリズムとは、周知のように、波長選択性が異なる２つのダイクロイック面を有するプリズムであり、Ｂ，Ｇ，Ｒの三色の色光を含む白色光を各色光に分離し、それぞれを異なる３つの方向に射出する。クロスダイクロイックプリズムは、例えば、直角二等辺三角形を柱状にした三角プリズムを４つ用い、それらの直角の頂角をもつ各稜線が互いに向き合うように接合することにより四角柱を構成するとともに、この四角柱内に、クロス配置された２つのダイクロイック面を形成したものである。各ダイクロイック面は、それぞれ各三角プリズムの前記稜線を挟む２面に形成される。２つのダイクロイック面は、例えば、Ｂ光を反射してＲ光及びＧ光を透過する青色反射面と、Ｒ光を反射してＢ光及びＧ光を透過する赤色反射面とからなる。このクロスダイクロイックプリズムに入射した照明光は、Ｂ光及びＲ光はそれぞれの反射面で異なる２方向に反射され、Ｇ光は各反射面を透過するので、Ｂ，Ｇ，Ｒの各色の色光に分離されて異なる３方向に射出する。
【０００５】
図８は、色分離プリズム８１としてクロスダイクロイックプリズムを使用した液晶プロジェクタの光学系を示す側面図である。側面図であるため、Ｇ用の反射型液晶素子８２Ｇのみを示し、Ｂ用，Ｒ用の各反射型液晶素子の記述を図上省略している。光源８３が発光する照明光は、照明光学系８４を通過して、色分離プリズム８１にその前面から入射する。照明光学系８４としては、第１及び第２のインテグレータレンズアレイ，偏光変換素子，重ね合わせレンズからなるインテグレータ照明光学系を使用している。これにより、各反射型液晶素子の受光面における光強度分布が均一になり、画面（投影像）の中心部から周辺部まで明るくすることができる。偏光変換素子は、特定の偏波面を持たないランダム偏光を特定の偏波面を持つ直線偏光に変換する素子であり、例えば、光源８３が発する照明光の偏光状態を垂直な偏波面を持つＳ偏光に変換する。
【０００６】
色分離プリズム８１に入射した照明光は、青色反射面及び赤色反射面の２つのダイクロイック面によってＢ光，Ｇ光，Ｒ光の３色の色光に分離される。Ｂ光及びＲ光は、各ダイクロイック面で反射して、色分離プリズム８１の右及び左の各側面から射出する。射出したＢ光及びＲ光は、該プリズム８１の側方に配置されたＢ用及びＲ用の各反射型液晶素子（図示せず）にそれぞれ入射する。Ｇ光は、各ダイクロイック面を透過して、色分離プリズム８１の後方から射出し、該プリズム８１の後方に配置されたＧ用の反射型液晶素子８２Ｇに入射する。色分離プリズム８１としてクロスダイクロイックプリズムを使用すると、１つの光学部品で３色を同時に分離することができるので、これを各色の光路長が等しくなるように配置すれば、リレーレンズなどの光学部品を用いる必要がない。
【０００７】
各反射型液晶素子は、入射した各色の色光を変調して各色の画像光を生成する。こうして生成された３色の画像光は、色合成プリズム８６で合成され、投影光学系８７によってスクリーン８８に投影される。色分離部としてクロスダイクロイックプリズムが使用される場合には、色分離プリズム８１と照明光学系８４とはオフアクシス方式で配置される場合が多い。オフアクシス方式とは、照明光学系８４の光軸８４ａと、２つのダイクロイック面に対して垂直な面Ｖとが一致しない配置形式をいう。ここで、符号８９は、色分離プリズム８１を構成する三角プリズムの直角の頂角を持つ稜線を示し、２つのダイクロイック面の交線である。
【０００８】
こうしたオフアクシス方式を採用すると、光軸８４ａや色分離プリズム８１から各液晶素子へ向かう光線の角度を傾けることができるので、色分離プリズム８１と、照明光学系７４や液晶素子との間の横方向の距離が短縮されて、光学ユニットの横方向のサイズを小さくすることができる。また、横方向の距離を延長することなく、縦方向に距離を稼ぐことができるので、色分離プリズム８１の周辺に光学部品の配置スペースを確保できるというメリットがある。
【０００９】
【特許文献１】
特開２００１−１５４２６８号公報
【特許文献２】
特開２００３−０２９３３１号公報
【００１０】
【発明が解決しようとする課題】
しかしながら、通常、ダイクロイックプリズムは、入射光線の光軸と前記垂直な面とが平行なオンアクシス方式の配置を前提として設計されているため、オフアクシス方式で使用された場合には、入射光線の光軸と前記垂直な面とが平行ではないため、画面内に色ムラや光量ムラが生じ、画質を低下させてしまうという問題があった。
【００１１】
というのは、照明光は、偏光変換素子によって特定の偏光状態（例えばＳ偏光）に変換されたとしても、入射光線の光軸と前記垂直な面とが一致しない場合には、ダイクロイックプリズム内でＳ偏光とＰ偏光とがあたかも混在したような状態になる。ダイクロイック面は基本的に偏光選択性を持つものではないが、これはオンアクシス方式の配置を前提とした特性であって、オフアクシス方式で配置した場合には偏光状態に依存する特性が現れてしまう。このため、本来反射しなければならない色光を透過してしまったり、その反対に透過させなければならない色光を反射してしまったりという現象が生じ、これが画質低下の原因となる。
【００１２】
このため、入射角に合わせてオフアクシス方式に対応した専用のダイクロイックプリズムを設計することも考えられるが、専用部品を作ることはコストの大幅な増加につながるため現実的ではない。
【００１３】
また、ダイクロイックプリズムと照明光学系とをオフアクシス方式及びオンアクシス方式のどちらで配置する場合であっても、光学部品が一般的にそうであるように、ダイクロイックプリズムへの入射角とそれからの射出角との間には、一方を変化させると他方も変化するという相関関係が認められる。したがって、ダイクロイックプリズムの入射側のスペースと射出側のスペースの両方の条件を揃えない限り、その周辺に配置する光学部品の配置位置を決めることができない。
【００１４】
例えば、ダイクロイックプリズムの入射側には、照明光学系をオンアクシス方式で配置可能なスペースを確保できる場合であっても、ダイクロイックプリズムの射出側において、前記照明光学系の光軸方向に液晶素子を配置するスペースが確保できなければ、オンアクシス方式を採用することはできず、画質の点で不利なオフアクシス方式を採用せざるを得ない。こうした光学部品の配置設計の自由度を阻害する要因は、光学ユニットの小型化を阻害する要因へと直結する。近年、光学ユニットの小型化の要請は大きく、そうした問題への対処が強く望まれていた。
【００１５】
本発明は、色分離部をオフアクシス方式で配置した場合でも画質低下が少ない液晶プロジェクタを低コストで提供することを目的とする。
【００１６】
また、本発明の別の目的は、色分離部の周辺に配置される光学部品の配置設計の自由度を向上することを目的とする。
【００１７】
【課題を解決するための手段】
前記目的を達成するために、本発明の液晶プロジェクタは、照明光を照射する照明光学系と、異なる波長選択性を持つ２つのダイクロイック面が互いに交叉するように配置され前記照明光をＢ，Ｇ，Ｒの３色の色光に分離してそれぞれの色光を異なる３方向に射出する色分離部と、分離された各色の色光をそれぞれ変調して各色の画像光を生成するＢ用，Ｇ用，Ｒ用の各液晶素子とを有し、前記色分離部と前記照明光学系とが、前記２つのダイクロイック面に対して垂直な面と照明光学系の光軸とが平行ではないオフアクシス方式で配置された液晶プロジェクタにおいて、前記照明光学系と前記色分離部との間に配置され、照明光を前記各ダイクロイック面に入射させる前に照明光の光軸を屈曲させて、前記色分離部への入射角を、その入射光線の光軸と前記垂直な面とが平行に近づくように補正する入射角補正部を設けたことを特徴とする。
【００１８】
前記入射角補正部は、前記入射光線の光軸と前記垂直な面とが平行になるように前記色分離部への入射角を補正することが好ましい。
【００１９】
前記色分離部から射出して前記各液晶素子へ向かう射出光線の角度を補正する射出角補正部を設けてもよい。
【００２０】
前記入射角補正部及び射出角補正部の少なくとも一方は、前記色分離部と間隔を空けて配置してもよい。
【００２１】
本発明の別の液晶プロジェクタは、照明光を照射する照明光学系と、異なる波長選択性を持つ２つのダイクロイック面が互いに交叉するように配置され前記照明光をＢ，Ｇ，Ｒの３色の色光に分離してそれぞれの色光を異なる３方向に射出する色分離部と、分離された各色の色光をそれぞれ変調して各色の画像光を生成するＢ用，Ｇ用，Ｒ用の各液晶素子とを有する液晶プロジェクタにおいて、前記色分離部から射出して前記各液晶素子へ向かう射出光線の角度を補正する射出角補正部を設けたことを特徴とする
【００２２】
【発明の実施の形態】
図１は、液晶プロジェクタ１０の外観を示す。液晶プロジェクタ１０は、筐体１１の前面に拡散透過型のスクリーン１２が設けられ、その背面に投影された画像が前面側から観察される。筐体１１の内部には投影ユニット１４が組み込まれ、その投影画像はミラー１６，１７で反射されスクリーン１２の背面に結像される。この液晶プロジェクタ１０は、筐体１１の内部にチューナー回路などのほか、ビデオ信号及び音声信号再生用の周知の回路ユニットを組み込み、投影ユニット１４に画像表示手段として組み込まれた液晶素子にビデオ信号の再生画像を表示することによって、大画面のテレビジョンとして使用することができる。
【００２３】
図２は投影ユニット１４の構成を概略的に示す側面図であり、図３は投影ユニット１４の色分離合成光学系を概略的に示す斜視図である。投影ユニット１４には、Ｂ用，Ｇ用，Ｒ用の三枚の反射型液晶素子２１Ｂ，２１Ｇ，２１Ｒが組み込まれている。光源２２は、Ｒ光，Ｇ光，Ｂ光を含む照明光を発光する。光源２２としては、例えば、キセノン管や水銀灯などの白色光源が使用される。光源２２が発光する放射光は、リフレクタ２３によって反射されて、照明光学系２４に入射する。
【００２４】
照明光学系２４は、第１及び第２のレンズアレイ２６，２７、偏光変換素子２８、重ね合わせレンズ２９からなるインテグレータ照明光学系である。第１及び第２の各レンズアレイ２６，２７は、それぞれ複数のマイクロレンズがマトリックス状に配列されたインテグレータレンズアレイであり、各反射型液晶素子の受光面と略相似形状をしている。各レンズアレイ２６，２７は、光源２２から放射された光束を、各マイクロレンズによって複数のサブ光束に分割する。このサブ光束は、重ね合わせレンズ２９によって各反射型液晶素子の受光面で重畳される。これにより、前記受光面における光強度分布が均一になり、画面（投影像）の中心部から周辺部まで明るくすることができる。偏光変換素子２８は、特定の偏波面を持たないランダム偏光を特定の偏波面を持つ直線偏光に変換する素子であり、例えば、光源２２が発する照明光の偏光状態を垂直な偏波面を持つＳ偏光に変換する。この照明光学系２４を通過した照明光の光束は、色分離光学系３１に入射する。
【００２５】
色分離光学系３１に入射した照明光は、Ｂ光，Ｇ光，Ｒ光の３色の色光に分離される。分離された各色の色光は、各反射型液晶素子２１Ｂ，２１Ｇ，２１Ｒに入射する。各反射型液晶素子２１Ｂ，２１Ｇ，２１Ｒは、入射した色光に対して光変調を施して各色の画像光を生成し、生成された各色の画像光を色合成プリズム３２に向けて射出する。色合成プリズム３２は、入射した各色の画像光を合成する。合成された画像光は、投影光学系３３を介してスクリーン１２に投影される。
【００２６】
図３に示すように、各液晶素子２１Ｂ，２１Ｇ，２１Ｒは、色合成プリズム３２の各入射面と対向するように配置されている。各液晶素子２１Ｂ，２１Ｇ，２１Ｒは、斜め下方に配置された色分解光学系３１からの色光を受光し、これを色合成プリズム３２に向けて反射できるように、各受光面を傾けた状態で配置されている。各液晶素子２１Ｂ，２１Ｇ，２１Ｒの受光面の前面には、プリズム３６が配置されている。プリズム３６は、受光面に入射する色光の入射角を受光面の法線方向に一致させるように補正する光線角度補正プリズムである。液晶素子は一般に光線の入射角度に応じて変調度が変化する（変調度に対する角度依存性）。このため、入射光線は、受光面に対して垂直な方向から入射させるのが好ましい。プリズム３６を配置することにより、斜め下方からの光束の角度を補正して適正に変調が行われるようにしている。符号３７は、各反射型液晶素子２１Ｂ，２１Ｇ，２１Ｒを支持する支持部材である。
【００２７】
色合成プリズム３２の各入射面と対面する位置には、偏光板３８が配置されている。偏光板３８は、周知のように特定の偏光状態の直線偏光のみを通過させるもので、例えば、各反射型液晶素子２１Ｂ，２１Ｇ，２１Ｒから射出されるＰ偏光の光を透過して、Ｓ偏光の光を遮断する。これにより、変調されたＰ偏光の画像光だけが色合成プリズム３２に入射する。
【００２８】
図４に示すように、色分離光学系３１は、色分離部である色分離プリズム４１と、光線角度補正プリズム４２とからなる。色分離プリズム４１は、４つの各三角プリズムをそれぞれの稜線４４が互いに向き合うように接合することにより四角柱形状とされたクロスダイクロイックプリズムが使用されている。青色反射面４６及び赤色反射面４７からなる２つのダイクロイック面は、前記稜線４４で直交するように形成される。色分離プリズム４１は、オンアクシス方式の配置を前提として設計された通常の色分離プリズム４１であるが、色分離プリズム４１と照明光学系２４とは、オフアクシス方式で配置されている。
【００２９】
照明光は色分離プリズム４１の前面４１ａから入射して、青色反射面４６及び赤色反射面４７によってＢ光，Ｇ光，Ｒ光の３色の色光に分離される。分離された色光は、それぞれ異なる方向に射出される。すなわち、Ｂ光及びＲ光は各反射面４６，４７で反射して色分離プリズム４１の左及び右の各側面４１ｂ，４１ｄから射出され、Ｇ光は、各反射面４６，４７を透過して、色分離プリズム４１の背面４１ｃから射出される。射出したＢ光，Ｇ光，Ｒ光の３色の色光は、それぞれ各反射型液晶素子２１Ｂ，２１Ｇ，２１Ｒに入射する。
【００３０】
光線角度補正プリズム４２は、１つの入射角補正プリズム４２ａと、各色に対応した３つの射出角補正プリズム４２ｂ，４２ｃ，４２ｄとからなる。照明光の入射面となる色分離プリズム４１の前面４１ａには、入射角補正プリズム４２ａが配置され、射出面となる両側面４１ｂ，４１ｄ及び背面４１ｃには、射出角補正プリズム４２ｂ，４２ｃ，４２ｄがそれぞれ配置される。これら入射角補正プリズム４２ａ，射出角補正プリズム４２ｂ，４２ｃ，４２ｄは、色分離プリズム４１の各面と接合されている。
【００３１】
色分離プリズム４１と照明光学系２４とは、オフアクシス方式で配置されているので、青色反射面４６及び赤色反射面４７の両面に対して垂直な面Ｖ（図１参照）と、照明光学系２４の光軸２４ａとが平行ではない。入射角補正プリズム４２ａは、色分離プリズム４１と照明光学系２４との間に配置されている。この入射角補正プリズム４２ａは、前記光軸２４ａを屈曲させることにより、色分離プリズム４１に入射する入射光線の入射角が「０」になるように、すなわち、その入射光軸と前記垂直面Ｖとが平行になるように補正する。これにより、色分離プリズム４１には、オンアクシス方式で配置したのと同様な方向（青色反射面４６及び赤色反射面４７に対して垂直な方向）から入射光線が入射する。
【００３２】
射出角補正プリズム４２ｂ，４２ｃ，４２ｄは、色分離プリズム４１から射出される射出光線の角度を、色分離プリズム４１よりも上方に配置された各反射型液晶素子２１Ｂ，２１Ｇ，２１Ｒに向けて補正する。この射出角補正プリズム４２ｂ，４２ｃ，４２ｄを設けることで、射出光線の角度を補正することができるので、各液晶素子２１Ｂ，２１Ｇ，２１Ｒの配置設計に自由度を持たせることができる。
【００３３】
以下、上記構成による作用について説明する。光源２２が発光する照明光は、照明光学系２４を通過して、色分離光学系３１に入射する。照明光は、入射角補正プリズム４２ａによって色分離部プリズム４１への入射角が補正されて、色分離プリズム４１の入射面４１ａに対して垂直な方向から入射する。このため、色分離プリズム４１として、オンアクシス方式で使用される通常のクロスダイクロイックプリズムを使用し、これをオフアクシス方式で配置した場合でも、色分離プリズム４１の偏光状態に対する依存性が解消されるので、画面内の色ムラや光量ムラが発生することはない。また、色分離プリズム４１は、オンアクシス方式で使用されるクロスダイクロイックプリズムが使用されるので、部品コストが増加することもない。
【００３４】
色分離プリズム４１で分離された各色の色光は、射出角補正プリズム４２ｂ，４２ｃ，４２ｄによって射出角が補正されて、色分離光学系３１から射出される。これらの色光は、各反射型液晶素子２１Ｂ，２１Ｇ，２１Ｒで変調されて画像光となり、色合成プリズム３２及び投影光学系３３を介してスクリーン１２へ投影される。
【００３５】
また、上記実施形態では、色分離プリズムと、光線角度補正プリズムとを接合した例で説明したが、接合しなくてもよく、図５に示す色分離光学系５１のように、色分離プリズム４１と、光線角度補正プリズムとの間に間隔を空けて配置して、両者の間に空気の隙間（エアーギャップ）を設けてもよい。エアーギャップを設けることにより、入射角補正プリズム５２は、入射面５２ａと射出面５２ｂの両面が屈折面として作用し、同様に、射出角補正プリズム５３は、入射面５３ａと射出面５３ｂの両面が屈折面として作用することになる。このように、各補正プリズム５２，５３のそれぞれの２つの面を屈折面として利用できるので屈折角が得やすくなり、接合した場合と比較して各補正プリズム５２，５３の厚みを薄くすることができる。
【００３６】
また、上記実施形態では、入射角補正プリズムによって、青色反射面及び赤色反射面に対する入射角が「０」になるように補正する例で説明しているが、図６に示す色分離光学系６１のように、青色反射面及び赤色反射面に対する入射角αは「０」でなくともよい。もちろん、上記実施形態で説明したように、入射角αは「０」であることが最も好ましいが、投影ユニットを構成する各部品の配置スペースなどの関係で、入射角αを「０」にすることができない場合もある。そうした場合でも、入射角補正プリズム６２によって、入射角αが「０」に近くなるように（入射光線の光軸と垂直面Ｖとが平行に近くなるように）補正すれば、例え、入射角αが「０」にならない場合であっても、入射角補正をまったく行わない場合と比較して、色ムラ及び光量ムラを低減する効果はある。
【００３７】
上記実施形態では、光線角度補正プリズムとして、入射角補正プリズムに加えて射出角補正プリズムを設けた例で説明したが、射出角を補正する必要がない場合には、射出角補正プリズムを設けなくてもよい。また、この反対に、入射角を補正する必要が無い場合には、射出角補正プリズムのみを設けてもよい。
【００３８】
図７は、光線角度補正プリズムとして、射出角補正プリズム７２のみ設けた色分離光学系７１を示す。この色分離光学系７１では、当然、色分離プリズム４１への入射角αの補正は行われないが、射出角補正プリズム７２が設けられていることで、色分離プリズム４１からの射出光線の角度を補正することができる。
【００３９】
この射出角補正プリズム７２は、例えば、図７（Ａ）に示すように、照明光学系がオフアクシス方式で配置している場合ばかりでなく、図７（Ｂ）に示すように、照明光学系がオンアクシス方式で配置されている場合でも、有効である。例えば、色分離プリズム４１の射出側において、該プリズム４１の真後ろ（照明光学系の光軸２４ａ方向）に液晶素子を配置するスペースを確保できないような場合には、射出角補正プリズム７２により、液晶素子の配置位置に応じて射出光線の角度を補正することができる。このように、射出角補正プリズムを設けることにより、従来と比較して、色分離プリズム４１の周辺に配置される光学部品の配置設計の自由度が向上する。なお、射出角補正プリズムだけを設ける場合でも、射出角補正プリズムと色分離プリズムとの間に間隔を空けてエアーギャップを設けてもよい。
【００４０】
上記実施形態では、色分離部としてクロスダイクロイックプリズムを使用した例で説明したが、２つのダイクロイックミラーを直交させることにより構成したクロスダイクロイックミラーを使用してもよい。
【００４１】
上記実施形態では、反射型液晶素子を用いた液晶プロジェクタを用いた例で説明したが、透過型液晶素子を使用した液晶プロジェクタに本発明を適用してもよい。
【００４２】
【発明の効果】
以上詳細に説明したように、本発明の液晶プロジェクタは、照明光を照射する照明光学系と、異なる波長選択性を持つ２つのダイクロイック面が互いに交叉するように配置され前記照明光をＢ，Ｇ，Ｒの３色の色光に分離してそれぞれの色光を異なる３方向に射出する色分離部と、分離された各色の色光をそれぞれ変調して各色の画像光を生成するＢ用，Ｇ用，Ｒ用の各液晶素子とを有し、前記色分離部と前記照明光学系とが、前記２つのダイクロイック面に対して垂直な面と照明光学系の光軸とが平行ではないオフアクシス方式で配置された液晶プロジェクタにおいて、前記照明光学系と前記色分離部との間に配置され、照明光を前記各ダイクロイック面に入射させる前に照明光の光軸を屈曲させて、前記色分離部への入射角を、その入射光線の光軸と前記垂直な面とが平行に近づくように補正する入射角補正部を設けたから、色分離部をオフアクシス方式で配置した場合でも画質低下が少ない液晶プロジェクタを低コストで提供することができる。
【００４３】
また、照明光を照射する照明光学系と、異なる波長選択性を持つ２つのダイクロイック面が互いに交叉するように配置され前記照明光をＢ，Ｇ，Ｒの３色の色光に分離してそれぞれの色光を異なる３方向に射出する色分離部と、分離された各色の色光をそれぞれ変調して各色の画像光を生成するＢ用，Ｇ用，Ｒ用の各液晶素子とを有する液晶プロジェクタにおいて、前記色分離部から射出して前記各液晶素子へ向かう射出光線の角度を補正する射出角補正部を設けたから、色分離部の周辺に配置される光学部品の配置設計の自由度を向上することができる。
【図面の簡単な説明】
【図１】液晶プロジェクタの外観図である。
【図２】投影ユニットの構成図である。
【図３】色分離合成系の構成図である。
【図４】色分離光学系の構成図である。
【図５】色分離プリズムと光線角度補正プリズムとの間にエアーギャップを設けた例を示す説明図である。
【図６】補正後の入射光線の光軸と垂直面とが平行とならない例を示す説明図である。
【図７】射出角補正プリズムのみを設けた色分離光学系の説明図である。
【図８】オフアクシス方式を採用した投影ユニットの従来例を示す構成図である。
【符号の説明】
１０  液晶プロジェクタ
１４  投影ユニット
２１Ｂ  Ｂ用液晶素子
２１Ｇ  Ｇ用液晶素子
２１Ｒ  Ｒ用液晶素子
２２  光源
２４  照明光学系
２４ａ  照明光の光軸
３１，５１，６１，７１  色分離光学系
４１  色分離プリズム
４２  光線角度補正プリズム
４２ａ，５２，６２  入射角補正プリズム
４２ｂ，４２ｃ，４２ｄ，５３，７２  射出角補正プリズム
【図１】
2005017370.tif 000003
【図２】
2005017370.tif 000004
【図３】
2005017370.tif 000005
【図４】
2005017370.tif 000006
【図５】
2005017370.tif 000007
【図６】
2005017370.tif 000008
【図７】
2005017370.tif 000009
【図８】
2005017370.tif 000010